(57)【要約】【課題】ビューファーから目を離すことなく、所望のフォーカス位置を素早く正確に再現することを可能にしたフォーカス操作装置を提供すること。【解決手段】再現したいフォーカス位置の認識手段を有するフォーカス操作装置において、該認識手段は、回転自在に回動する任意の位置に設定できる位置設定手段を有し、それは触感的な認識手段であることを特徴とする。【選択図】図１
2017203926.tif 000002
【特許請求の範囲】
【請求項１】
再現したいフォーカス位置の認識手段を有するフォーカス操作装置において、該認識手段は、回転自在に回動する任意の位置に配置できる位置設定手段を有した触感的な認識手段であることを特徴とするフォーカス操作装置。
【請求項２】
該触感的認識手段は、上下に伸縮する弾性体と球体で構成されていることを特徴とする請求項１に記載のフォーカス操作装置。
【請求項３】
該伸縮する弾性体は、ボールプランジャであることを特徴とする請求項２に記載のフォーカス操作装置。
【請求項４】
該伸縮する弾性体は、ラバーであることを特徴とする請求項２に記載のフォーカス操作装置。
【請求項５】
該触感的認識手段は、フォーカス操作ノブの回転中心方向に移動することを特徴とする請求項１乃至請求項４の何れか一項に記載のフォーカス操作装置。
【請求項６】
該触感的認識手段は、全域の操作範囲において、任意の位置で１度だけ認識することを特徴とする請求項５に記載のフォーカス操作装置。
【請求項７】
該触感的認識手段は、フォーカス操作ノブの回転軸方向に移動することを特徴とする請求項１乃至請求項４の何れか一項に記載のフォーカス操作装置。 
【請求項８】
該触感的認識手段は、全域の操作範囲において、任意の位置で1度だけ認識することを特徴とする請求項７に記載のフォーカス操作装置。
【請求項９】
該触感的認識手段は、全域の操作範囲において、任意の位置で複数回認識することを特徴とする請求項５乃至請求項７の何れか一項に記載のフォーカス操作装置。
【請求項１０】
該触感的認識手段は、フォーカス操作範囲外に回避する手段を有することを特徴とする請求項５乃至請求項７の何れか一項に記載のフォーカス操作装置。
【請求項１１】
該触感的認識手段の動作範囲の表示手段を有することを特徴とする請求項５乃至請求項７の何れか一項に記載のフォーカス操作装置。
【発明の詳細な説明】
【技術分野】
【０００１】
本発明は、レンズのフォーカス動作を遠隔操作にて行うフォーカス操作装置に関する。
【背景技術】
【０００２】
従来、撮影シーンがいくつか決まっていて、それぞれのシーンを何度も繰り返し切り替えて撮影を行う時、カメラマンは、所望のフォーカス位置への素早い正確な復帰を実現しなければならない場合も多くある。
【０００３】
そんな時、カメラマンは、フォーカス操作装置の本体部にある固定指標と、操作ノブ側に付与されている指標目盛やカメラマンが独自に付加した指標線が一致したときに所望の位置となるように設定し、指標の一致を目安にして、素早く正確な操作を実現している。
【０００４】
特許文献１では、本体部の固定指標の直下にフォトインタラプタを内蔵させ、操作ノブ側は、摺動可能に回動する環状部材に指標と遮光版を設けている。そして、それぞれの指標が一致した時、同時に遮光版がフォトインタラプタを通過するように設定し、それが所望に位置となるようになっている。
【０００５】
特許文献２では、操作範囲の端の位置を触感的に確認できるもので、オートフォーカスレンズの位置情報と連動して、操作装置との相対関係を維持できるよう端位置が移動するようになっている。それは、歯車とストッパコマの連結の着脱によって触感的に端を認識できるようになっており、その場合、所望位置が端という解釈ができる。
【先行技術文献】
【特許文献】
【０００６】
【特許文献１】特願２００５−２８４９７８号公報
【特許文献２】特開平７−１２３２７５号公報
【発明の概要】
【発明が解決しようとする課題】
【０００７】
しかしながら、上述の特許文献１に開示された従来技術では、目視による認識が必要になるため、ビューファーから目を離さなければならず、撮影シーンのめまぐるしい変化に対応できなくなってしまう。また、特許文献2に開示されたような触感認識では、モータによる電動駆動のような大掛かりな機構が必要になってしまう。
【０００８】
そこで、本発明の目的は、ビューファーから目を離すことなく、所望のフォーカス位置を素早く正確に再現することを可能にしたフォーカス操作装置を提供することにある。
【課題を解決するための手段】
【０００９】
上記の目的を達成するために、本発明に係るフォーカス操作装置は、
再現したいフォーカス位置の認識手段を有するフォーカス操作装置において、該認識手段は、回転自在に回動する任意の位置に配置できる位置設定手段を有した触感的な認識手段であることを特徴とする。
【発明の効果】
【００１０】
本発明によれば、ビューファーから目を離すことなく、所望のフォーカス位置を素早く正確に再現することを可能にしたフォーカス操作装置を提供することができる。
【図面の簡単な説明】
【００１１】
【図１】本発明の実施例１であるフォーカス操作装置の正面断面図
【図２】実施例１である正面断面図のＡＡ断面図
【図３】実施例１であるフォーカス操作装置の右側面図
【図４】実施例１である触感構造を解除した配置図
【図５】本発明の実施例２であるフォーカス操作装置の正面断面図
【図６】本発明の実施例３であるフォーカス操作装置の右側面図
【発明を実施するための形態】
【００１２】
以下に、本発明の好ましい実施の形態を、添付の図面に基づいて詳細に説明する。図１は本発明の実施形態にかかわるフォーカス操作装置の正面断面図である。
【００１３】
［実施例１］
以下、図１から図４を参照して、本発明の第1の実施例による、フォーカス操作装置の触感的なフォーカス位置認識構造について説明する。
【００１４】
初めに、操作装置の基本構造に関する説明をする。
【００１５】
図１、図２において、１はフォーカス位置検出部、２はフォーカス操作装置の本体、３は固定板、４は固定ビスであり、フォーカス位置検出部１は、固定板３を介して固定ビス４で本体２に固定されている。
【００１６】
１ａはフォーカス位置検出部１の回転軸、５はフォーカス操作ノブ、６は摺動ワッシャで、回転軸１ａと操作ノブ５は連結されて一体となっており、回転操作をすることによって位置検出信号がレンズ本体に送られ、フォーカスの駆動がなされる。２ａは渦巻き溝、９は鋼球、５ａは鋼球９の保持用長溝で、操作ノブ５が回転すると、鋼球９は、保持用長溝５ａに保持された状態で、渦巻き溝２ａの中を摺動する。
【００１７】
７、８は、それぞれ至近端、無限端のストッパで、７ａ、８ａは、それぞれ至近端、無限端ストッパの中心軸である。本実施例では、フォーカス全域で２．５回転の操作回転数を備えたものになっており、鋼球９がそれぞれのストッパまで到達すると、操作ノブ５はそれ以上に回転しないようになっている。
【００１８】
１０は本体２に固定された基準ピンで、操作ノブ５の外周面に対して、ユーザーの所望のフォーカス位置に到達したときに基準ピン１０と一致するような不指示の指標線などを付加することにより、目視による確認ができるようになっている従来型の機能である。
【００１９】
次に、触感的認識構造部に関して説明する。１１はボールプランジャ、１２はツマミで、これらは一体となっている。また、１１ａは、ボールプランジャ１１の中心軸である。１３はスライドワッシャで、ツマミ１２のフランジ部１２ａを挟むように２か所取り付けられている。
【００２０】
１４はウェーブワッシャ、１５はばね受け板で、フランジ部１２ａとスライドワッシャ１３の間にはさみこんでいる。１６は押さえ板、１７は固定ビスで、ウェーブワッシャ１４によって、ツマミ１２のフランジ部１２ａに対して負荷がかかるように押さえ板１６は、固定ビス１７によって固定されている。
【００２１】
５ｂはツマミ１２と一体になったボールプランジャ１１を鋼球９に接触させるためのアクセス溝、１１ｂはボールプランジャ１１の弾性部で、アクセス溝５ｂによって弾性部１１ｂは鋼球９の高さまで到達する。５ｃはツマミ１２のスライドホール、１６ａはツマミ１２のガイド溝で、ツマミ１２は、ガイド溝１６ａに沿って位置を動かすことができる。
【００２２】
次に、図３によって、操作ノブ５とツマミ１２との相対関係について説明する。
【００２３】
図３において、１６ｂは目盛で、両端には、至近と無限を示す「ＮＥＡＲ」と「ＦＡＲ」の表示が示してあり、操作ノブ５の操作位置との相対関係が、ある程度目安としてわかるようになっている。その他の符号に関しては、図１および図２での説明の通りである。
【００２４】
次に、図４によって、触感機構の解除状態について説明する。符号に関しては、図１から図３での説明の通りである。
【００２５】
図４において、ツマミ１２は、至近側ストッパ７の中心軸７ａまたは無限側ストッパ８の中心軸８ａとボールプランジャ１１の中心軸１１ａが一致する位置に配置されている。
【００２６】
上記構成に於いて、至近側から無限方向に操作ノブ５を操作した時に、触感的に所望のフォーカス位置を認識できるように設定する場合を説明する。渦巻き溝２ａにおいて、鋼球９がツマミ１２より至近側になる関係を崩さないようにしながら、ガイド溝１６ａに沿ってツマミ１２をスライドさせ、所望のフォーカス位置で鋼球９とボールプランジャ１１の弾性部１１ｂが接触する位置で止める。ツマミ１２は、ウェーブワッシャ１４の弾性力によって、強固にその場所に固定される。
【００２７】
この状態で、至近側から所望のフォーカス位置まで操作ノブ５を回転操作すると、鋼球９と弾性部１１ｂが接触することによって、触感的に認識することが可能になる。さらに操作を続けた場合は、鋼球９によって弾性部１１ｂの弾性力以上の力が加わり、弾性部１１ｂを乗り越えて、無限端まで操作することができる。つまり、フォーカス操作範囲を変えることなく操作することが可能となる。
【００２８】
ここで、ボールプランジャー１１は、ラバーなどの他の弾性部材をツマミ１２の先端に取り付けたものでもよい。また、触感的認識が不要の場合には、図４に示すような配置にツマミ１２を置くことによって、鋼球９は弾性部１１ｂに触れることなく至近端または無限端まで操作することが可能となる。
【００２９】
本実施形態によれば、所望のフォーカス位置を触感的に認識することによって、ビューファーから目を離すことなく、所望のフォーカス位置を素早く正確に再現することが可能となり、操作性が向上するという効果がある。
【００３０】
［実施例２］
以下、図５を参照して、本発明の第２の実施例による、フォーカス操作装置の触感的なフォーカス位置認識構造について説明する。
【００３１】
図５において、１８はフォーカス操作装置の本体で、フォーカス位置検出部１が、固定板３を介して固定ビス４で固定されている。２２はフォーカス操作ノブで、主要部１９と機構部２０からなり、固定ビス２１によって一体化され、さらに、回転軸１ａと主要部１９は連結されて一体となっており、回転操作をすることによって位置検出信号がレンズ本体に送られ、フォーカス駆動がなされる。
【００３２】
１８ａはらせん状にきられた回転溝、２０ａは鋼球９の保持用長溝で、操作ノブ２２が回転すると、鋼球９は、保持用長溝２０ａに保持された状態で、回転溝１８ａの中を摺動する。回転溝１８ａの両端には、至近端ストッパ７および無限端ストッパ８が固定されている。２３は押さえリング、２４は固定ビスで、ウェーブワッシャ１４によって、ツマミ１２のフランジ部１２ａに対して負荷がかかるように押さえリング２３は、固定ビス２４によって固定されている。
【００３３】
２０ｂは、ツマミ１２と一体になったボールプランジャ１１を鋼球９に接触させるためのアクセス溝で、アクセス溝２０ｂによってボールプランジャ１１の弾性部１１ｂは鋼球９の高さまで到達する。２０ｃはツマミ１２のスライドホール、２３ａはツマミ１２のガイドＵ溝で、ツマミ１２は、ガイドＵ溝２３ａに沿って位置を動かすことができる。その他の符号に関しては、実施例１の説明の通りである。
【００３４】
上記構成に於いて、至近側から無限方向に操作ノブ２２を操作した時に、触感的に所望のフォーカス位置を認識できるように設定する場合を説明する。回転溝１８ａにおいて、鋼球９がツマミ１２より至近側になる関係を崩さないようにしながら、ガイドＵ溝２３ａに沿ってツマミ１２をスライドさせ、所望のフォーカス位置で鋼球９とボールプランジャ１１の弾性部１１ｂが接触する位置で止める。ツマミ１２は、ウェーブワッシャ１４の弾性力によって、強固にその場所に固定される。この状態で、至近側から所望のフォーカス位置まで操作ノブ２２を回転操作すると、鋼球９と弾性部１１ｂが接触することによって、触感的に認識することが可能になる。
【００３５】
さらに操作を続けた場合は、鋼球９によって弾性部１１ｂの弾性力以上の力が加わり、弾性部１１ｂを乗り越えて、無限端まで操作することができる。つまり、フォーカス操作範囲を変えることなく操作することが可能となる。また、触感的認識が不要の場合には、ストッパの中心軸７ａまたは８ａとボールプランジャ１１の中心軸１１ａが一致する位置にツマミ１２を置くことによって、鋼球９は弾性部１１ｂに触れることなく至近端または無限端まで操作することが可能となる。本実施形態によれば、実施例１と同様の効果がある。
【００３６】
［実施例３］
以下、図６を参照して、本発明の第３の実施例による、フォーカス操作装置の触感的なフォーカス位置認識構造を複数個所（図では２か所）設けた構造について説明する。符号に関しては、実施例１の説明の通りである。
【００３７】
上記構成に於いて、鋼球９とツマミ１２周辺の触感機構部を２か所に設ける。それぞれのツマミ１２を、所望のフォーカス位置で鋼球９とボールプランジャ１１の弾性部１１ａが接触するように配置することによって、フォーカス操作全域において２か所で触感的な認識が得られる。ここでは２か所に設けたが、必要に応じていくつ設けてもよい。本実施形態によれば、実施例１と同様の効果がある。
【００３８】
以上、本発明の好ましい実施形態について説明したが、本発明はこれらの実施形態に限定されず、その要旨の範囲内で種々の変形及び変更が可能である。
【符号の説明】
【００３９】
１  フォーカス位置検出部、１ａ  回転軸、２，１８  本体、２ａ  渦巻き溝、
３  固定板、４，１７，２１，２４  固定ビス、５，２２  操作ノブ、
５ａ，２０ａ  保持用長溝、５ｂ，２０ｂ  アクセス溝、
５ｃ，２０ｃ  スライドホール、６  摺動ワッシャ、７  至近端ストッパ、
７ａ，８ａ，１１ａ  中心軸、８  無限端ストッパ、９  鋼球、１０  基準ピン、
１１  ボールプランジャ、１１ｂ  プランジャー弾性部、１２  ツマミ、
１２ａ  フランジ部、１３  スライドワッシャ、１４  ウェーブワッシャ、
１５  ばね受け板、１６  押さえ板、１６ａ  ガイド溝、１６ｂ  目盛、
１８ａ  回転溝、１９  主要部、２０  機構部、２３  押さえリング、
２３ａ  ガイドＵ溝
【図１】
2017203926.tif 000003
【図２】
2017203926.tif 000004
【図３】
2017203926.tif 000005
【図４】
2017203926.tif 000006
【図５】
2017203926.tif 000007
【図６】
2017203926.tif 000008